(57)【要約】      （修正有）【課題】客のキャンペーンへの参加の意欲を喚起させ、購買行動の変化を促し、店などの売り上げの増大が期待できるキャンペーン用台紙を提供する。【解決手段】キャンペーン用台紙１０に、しるしを付するための位置ガイド部１１を表面に複数配置し、位置ガイド部を囲む枠１３を形成する。店が定める特定のしるしを客が集め、所定数のしるしを位置ガイド部に付することによって、客がしるしの所定数に応じた特典を獲得することができるようにする。【選択図】図１
0003186311.tif 000002
【実用新案登録請求の範囲】
【請求項１】
しるしを付するための位置ガイド部を表面に複数配置し、当該位置ガイド部を囲む枠が形成され、当該位置ガイド部にしるしが付されることを特徴とするキャンペーン用台紙。
【請求項２】
請求項１に記載のキャンペーン用台紙であって、
前記位置ガイド部に、数字が描かれていることを特徴とするキャンペーン用台紙。
【請求項３】
請求項１又は２に記載のキャンペーン用台紙であって、
図柄が描かれていることを特徴とするキャンペーン用台紙。
【請求項４】
請求項１〜３のいずれか１項に記載のキャンペーン用台紙であって、
店が定める特定のしるしを客が集め、所定数の前記しるしを前記位置ガイド部に付することによって、客が前記しるしの所定数に応じた特典を獲得することができるようにしたことを特徴とするキャンペーン用台紙。
【請求項５】
請求項１〜４のいずれか１項に記載のキャンペーン用台紙であって、
表面に図柄が印刷されるとともに裏面に剥離紙が貼り合わされたシールを、前記剥離紙から剥離して、前記しるしとして、前記位置ガイド部に貼付することを特徴とするキャンペーン用台紙。
【請求項６】
請求項４に記載のキャンペーン用台紙であって、
前記図柄が前記位置ガイド部に描かれ、当該図柄が前記特典を表していることを特徴とするキャンペーン用台紙。
【請求項７】
請求項４に記載のキャンペーン用台紙であって、
前記特典は、前記位置ガイド部に付された前記しるしの所定数に応じた商品を特別価格で購入することができるようにしたものであることを特徴とするキャンペーン用台紙。
【請求項８】
請求項４に記載のキャンペーン用台紙であって、
前記特典は、前記しるしの獲得数の増加に伴って特典価値が向上するようにしたものであることを特徴とするキャンペーン用台紙。
【考案の詳細な説明】
【技術分野】
【０００１】
本考案は、店などが開催するキャンペーンに用いられるキャンペーン用台紙に関するものである。
【背景技術】
【０００２】
一般に、売り上げを向上させるために、種々のキャンペーンを実施している小売店や製造業者等は多い。キャンペーンを実施することによって、顧客の維持や、顧客の獲得につながることとなるからである。
【０００３】
キャンペーンとしては、例えば、下記特許文献１や２に記載されている、くじによる抽選などがある。従来から、三角くじや回転抽選機を用いた抽選が知られている。一般的に、くじの箱や回転抽選機などが、店舗の一画に設置され、抽選会が行われる。
【先行技術文献】
【特許文献】
【０００４】
【特許文献１】特開２００９−８６４７７号公報
【特許文献２】実用新案登録第３０８６３７０号明細書
【考案の概要】
【考案が解決しようとする課題】
【０００５】
しかしながら、くじによる抽選の場合、抽選を行うために、くじの箱や回転抽選機などを設置する場所、すなわち、抽選会場や、抽選会場を案内するための看板や、抽選を見届ける人手などが必要となり、経費がかかる。
【０００６】
また、客にとっては、抽選会場を探して、その場所まで移動しなければならず、手間がかかる。さらに、一般的には、はずれやそれと同等と考えられる景品が、くじの大半を占めるため、抽選に参加した客のうち、ごく限られた人数の客だけが、くじによって、景品を得ることとなる。したがって、その手間と景品との兼ね合いから、抽選会に参加しない客も多い。
【０００７】
そこで、本考案は、上述した課題を解決するためになされたものであり、その目的は、客のキャンペーンへの参加の意欲を喚起させ、購買行動の変化を促し、さらに、店などの売り上げの増大が期待できるキャンペーン用台紙を提供することにある。
【課題を解決するための手段】
【０００８】
本考案に係るキャンペーン用台紙は、しるしを付するための位置ガイド部を表面に複数配置し、当該位置ガイド部を囲む枠が形成され、当該位置ガイド部にしるしが付されることを特徴とするものである。
【０００９】
また、本考案に係るキャンペーン用台紙には、前記位置ガイド部に、数字が描かれていることとすることができる。
【００１０】
さらに、本考案に係るキャンペーン用台紙には、図柄が描かれていることとすることができる。
【００１１】
またさらに、本考案に係るキャンペーン用台紙では、店が定める特定のしるしを客が集め、所定数の前記しるしを前記位置ガイド部に付することによって、客が前記しるしの所定数に応じた特典を獲得することができるようにしたこととすることができる。
【００１２】
さらにまた、本考案に係るキャンペーン用台紙では、表面に図柄が印刷されるとともに裏面に剥離紙が貼り合わされたシールを、前記剥離紙から剥離して、前記しるしとして、前記位置ガイド部に貼付することとすることができる。
【００１３】
また、本考案に係るキャンペーン用台紙では、前記図柄が前記位置ガイド部に描かれ、当該図柄が前記特典を表していることとすることができる。
【００１４】
さらに、本考案に係るキャンペーン用台紙において、前記特典は、前記位置ガイド部に付された前記しるしの所定数に応じた商品を特別価格で購入することができるようにしたものであることとすることができる。
【００１５】
またさらに、本考案に係るキャンペーン用台紙において、前記特典は、前記しるしの獲得数の増加に伴って特典価値が向上するようにしたものであることとすることができる。
【考案の効果】
【００１６】
本考案によれば、客のキャンペーンへの参加の意欲を喚起させ、購買行動の変化を促し、店などの売り上げの増大が期待できるキャンペーン用台紙を提供することができる。
【００１７】
また、本考案を利用する客にとっては、キャンペーンに参加することで、特典を獲得することができるとともに、キャンペーンへの参加を楽しむことができる。
【００１８】
さらに、本考案を利用する店などにとっては、キャンペーンを実施することによって、顧客の維持や顧客の獲得につながるという効果が期待できる。また、抽選会場のようなスペースを必要とせず、キャンペーンのチラシやポスター等の販促経費で実施することができるので、経済的である。
【図面の簡単な説明】
【００１９】
【図１】本実施形態に係るキャンペーン用台紙を示す概略図である。
【図２】本実施形態に係るキャンペーン用台紙の使用状態を示す第一の概略図である。
【図３】本実施形態に係るキャンペーン用台紙の使用状態を示す第二の概略図である。
【図４】本実施形態に係るキャンペーン用台紙の第一の実施例を示す図である。
【図５】本実施形態に係るキャンペーン用台紙の第二の実施例を示す図である。
【考案を実施するための形態】
【００２０】
以下、本考案を実施するための好適な実施形態について、図面を用いて説明する。なお、以下の実施形態は、各請求項に係る考案を限定するものではなく、また、実施形態の中で説明されている特徴の組み合わせの全てが考案の解決手段に必須であるとは限らない。
【００２１】
図１は、本実施形態に係るキャンペーン用台紙１０を示す概略図である。
【００２２】
図１に示すように、本実施形態に係るキャンペーン用台紙１０は、しるしを付するための位置ガイド部１１と、位置ガイド部１１を囲む枠１３と、数字と、図柄と、を含む。
【００２３】
しるしとしては、例えば、店などから配布されるシールやスタンプ、または、特殊な形状の穴を開けるのに用いられるクラフトパンチ等によって開けられる穴など、店などによって開催されるキャンペーンで指定され、共通であり、また、他と区別できるものであればよい。
【００２４】
キャンペーン用台紙１０は、例えば、シート状のものであって、しるしを付すことができるものであればよい。そして、キャンペーン用台紙１０は、しるしとして用いられるものに合わせて、利用しやすいように、適宜に変更・選択することができる。
【００２５】
位置ガイド部１１は、しるしを付する位置を案内するためのものである。図１では、位置ガイド部１１の形状は、四角であるが、例えば、円形など、特に限定されるものではなく、適宜に選択することができる。また、位置ガイド部１１の形状は、しるしを付する位置がわかりやすいように、しるしの形状に合わせることが好ましいが、単に、位置ガイド部１１が、しるしを付する位置を示すだけであって、しるしの形状とは異なっていてもよい。
【００２６】
さらに、位置ガイド部１１は、キャンペーン用台紙１０に複数配置される。位置ガイド部１１の数は、キャンペーンの内容や期間などに応じて、適宜に変更・選択が可能である。
【００２７】
そして、図１に示すように、本実施形態では、位置ガイド部１１に、数字が描かれている。数字が描かれていることによって、しるしを付する順番がわかりやすくなり、誰でも簡単に、かつ、迅速にしるしを付すことができる。また、客がしるしを集め、位置ガイド部１１に描かれている数字が増えていくことによって、客のキャンペーンへの参加の意欲を喚起させることが期待される。なお、本実施形態では、位置ガイド部１１に付される数字は、昇順となっているが、降順としてもよい。
【００２８】
また、複数の位置ガイド部１１は、枠１３で囲まれる。枠１３は、複数配置されている位置ガイド部１１全体の外郭となるものである。そして、枠１３は、複数の位置ガイド部１１の外周と一体となって構成されていても、位置ガイド部１１の一部と接していても、また、位置ガイド部１１から離れて形成されていてもよい。枠１３の形状は、位置ガイド部１１の形状や数などに応じて、例えば、四角形や円形など、適宜に変更・選択することができる。また、枠１３の大きさは、最大で、キャンペーン用台紙１０と略同寸法とすることができる。
【００２９】
図１に示すように、本実施形態では、図柄が、位置ガイド部１１内に描かれ、図柄は、しるしの所定数に応じて獲得することができる特典を表している。図柄で、獲得することができる特典を表すことによって、客は、あとどれくらいで、どのような特典を獲得することができるのか、認識することができるので、客のキャンペーンへの参加の意欲を喚起させることが期待される。しかし、図柄は、これに限定されるものではなく、例えば、キャンペーンに関する図柄などを描いてもよい。また、図柄の位置としては、例えば、キャンペーン用台紙１０内や枠１３内の一面に描いてもよい。キャンペーン用台紙１０に、図柄が描かれていることによって、客のキャンペーンへの興味を惹き、キャンペーンへの参加を促すことにつながる。
【００３０】
特典は、例えば、しるしの所定数に応じた商品を特別価格で購入することができるということとすることができる。しかし、特典はこれに限定されるものではなく、例えば、しるしの所定数に応じた景品とキャンペーン用台紙１０を交換することができることとすることもできる。
【００３１】
以上、本実施形態に係るキャンペーン用台紙１０の構成の概略について、説明した。次に、本実施形態に係るキャンペーン用台紙１０の使用状態について、図２及び図３を用いて、説明する。
【００３２】
図２は、本実施形態に係るキャンペーン用台紙１０の使用状態を示す第一の概略図である。
【００３３】
図２では、図１に示した本実施形態に係るキャンペーン用台紙１０のしるしを付する位置を案内する位置ガイド部１１に、しるしとしてのシール１５が貼付された状態を示している。
【００３４】
シール１５は、キャンペーンの内容に合わせて、店などから客に配布される。例えば、客の購入金額や購入商品などに応じて、店などが、客に、所定のシール１５を配布することとすることができる。
【００３５】
シール１５は、表面に図柄が印刷されるとともに、裏面に剥離紙が貼り合わされて形成されている。図柄は、開催されるキャンペーンで指定され、共通であり、また、他と区別できるものであればよい。
【００３６】
そして、シール１５の裏面の剥離紙を剥離して、シール１５を位置ガイド部１１に合わせ、シール１５の表面上から指などで押すことにより、シール１５の裏面に塗布されている糊などによって、シール１５が、位置ガイド部１１に糊着される。
【００３７】
したがって、しるしとしてのシール１５の位置を案内する位置ガイド部１１によって、シール１５を、きれいに、整った状態で、キャンペーン用台紙１０に貼付することができる。
【００３８】
また、一般的に、シール１５を貼り付けることは、楽しさを感じることなので、客は、店などで、シール１５を獲得するために、店などの利用頻度、購入金額や購入商品の個数などを増やすことにつながる。したがって、客の購買行動の変化を促すことができるとともに、店などにとっては、売り上げの増大、顧客の維持や顧客の獲得を期待することができる。
【００３９】
店などの利用頻度や購入金額、または、購入商品の個数などが少ないと、客は、シール１５をキャンペーン用台紙１０に貼付することができず、位置ガイド部１１に描かれているシール１５を貼付していない位置ガイド部１１の数字や獲得することができる特典は、表れたままとなっている。よって、客は、特典を獲得したいという気持ちや、未完成なキャンペーン用台紙１０を完成させたいという気持ちを持つことにつながり、キャンペーンへの参加の意欲を喚起させることが期待できる。
【００４０】
図２では、５枚のシール１５がキャンペーン用台紙１０に貼付されている。したがって、客は、図１において、数字の「５」が描かれていた位置ガイド部１１に描かれている特典を獲得することができる。上述したように、特典は、例えば、５枚のシール１５に応じた商品を特別価格で購入することができることとすることができる。また、例えば、５枚のシール１５に応じた景品とキャンペーン用台紙１０を交換することとすることもできる。
【００４１】
また、図２において、キャンペーン用台紙１０の位置ガイド部１１のうち、５箇所は、シール１５が貼付されていない。したがって、客は、さらに５枚のシール１５を集め、キャンペーン用台紙１０の位置ガイド部１１に貼付することによって、数字の「１０」が描かれた位置ガイド部１１に描かれている特典を獲得することができる。
【００４２】
したがって、本実施形態において、客が、５枚のシール１５に応じた景品とキャンペーン用台紙１０を交換する場合には、図２に示す状態が完成した状態である。しかし、客が、数字の「１０」が描かれた位置ガイド部１１に描かれている特典を獲得しようとしている場合や、キャンペーン用台紙１０の全ての位置ガイド部１１へのシール１５の貼付を完成させようとしている場合には、図２に示す状態は、未完成の状態となる。
【００４３】
次に、図３は、本実施形態に係るキャンペーン用台紙１０の使用状態を示す第二の概略図である。
【００４４】
図３では、１０枚のシール１５が、キャンペーン用台紙１０の位置ガイド部１１に貼付されている。したがって、客は、図１において、数字の「１０」が描かれていた位置ガイド部１１に、描かれている特典を獲得することができる。上述したように、特典は、例えば、１０枚のシール１５に応じた商品を特別価格で購入することができることとすることができる。また、例えば、１０枚のシール１５に応じた景品とキャンペーン用台紙１０を交換することとすることもできる。
【００４５】
図３において、キャンペーン用台紙１０に配置される、全ての位置ガイド部１１に、シール１５が貼付され、さらに、シール１５をキャンペーン用台紙１０に貼付しても、特典を獲得することはできない。したがって、図３に示す状態は、完成したキャンペーン用台紙１０の状態である。
【００４６】
以上、本実施形態に係るキャンペーン用台紙１０の使用状態について、説明した。次に、本実施形態に係るキャンペーン用台紙の第一の実施例について、図４を用いて説明する。なお、上述した実施形態と同一又は類似する構成については、同じ符号を付して説明を省略する。
【００４７】
図４は、本実施形態に係るキャンペーン用台紙の第一の実施例を示す図である。
【００４８】
図４に示すように、第一の実施例に係るキャンペーン用台紙２０は、位置ガイド部１１と、位置ガイド部１１を囲む枠１３と、数字と、図柄と、シールの見本２１と、を含む。
【００４９】
シールの見本２１は、キャンペーンに用いられ、キャンペーン用台紙２０の位置ガイド部１１に貼付されるシール１５の見本である。本実施例では、図４に示すように、シールの見本２１は、位置ガイド部１１を囲む枠１３の左側に描かれているが、その位置は、特に限定されるものではない。
【００５０】
一般に、シールは、種々の種類が多数存在し、流通しているので、シールの見本２１が、キャンペーン用台紙２０に描かれていることによって、客は、店から配布されたシール１５の種類を間違えることなく、キャンペーン用台紙２０の位置ガイド部１１に貼付することができる。
【００５１】
図４に示した本実施例に係るキャンペーン用台紙２０の位置ガイド部１１に、シール１５を５枚貼付すると、数字の「５」と一体として印刷されている、５枚のシール１５に応じた商品を、特別価格で購入することができる。さらに、シール１５を５枚貼付し、全体として、１０枚のシール１５を貼付すると、数字の「１０」と一体として印刷されている、１０枚のシール１５に応じた商品を、特別価格で購入することができる。またさらに、シール１５を５枚貼付し、全体として、１５枚のシール１５を貼付すると、数字の「１５」と一体として印刷されている、１５枚のシール１５に応じた商品を、特別価格で購入することができる。なお、本実施例に係るキャンペーン用台紙２０は、１５枚のシール１５を貼付することで、完成となる。
【００５２】
以上、第一の実施例に係るキャンペーン用台紙２０について、説明した。次に、本実施形態に係るキャンペーン用台紙の第二の実施例について、図５を用いて説明する。なお、上述した実施形態と同一又は類似する構成については、同じ符号を付して説明を省略する。
【００５３】
図５に示すように、第二の実施例に係るキャンペーン用台紙３０は、位置ガイド部１１と、位置ガイド部１１を囲む枠１３と、数字と、図柄と、シールの見本２１と、を含む。
【００５４】
本実施例では、図５に示すように、シールの見本２１は、位置ガイド部１１と、位置ガイド部１１を囲む枠１３との中に描かれている。
【００５５】
図５に示した実施例に係るキャンペーン用台紙３０の位置ガイド部１１に、シール１５を５枚貼付すると、数字の「５」と一体として印刷されている、５枚のシール１５に応じた商品を、特別価格で購入することができる。さらに、シール１５を５枚貼付し、全体として、１０枚のシール１５を貼付すると、数字の「１０」と一体として印刷されている、１０枚のシール１５に応じた商品を、特別価格で購入することができる。なお、本実施例に係るキャンペーン用台紙３０は、１０枚のシール１５を貼付することで、完成となる。
【００５６】
以上、第二の実施例に係るキャンペーン用台紙３０について、説明した。
【００５７】
以上説明したように、本考案に係るキャンペーン用台紙は、客のキャンペーンへの参加の意欲を喚起させ、購買行動の変化を促し、店などの売り上げの増大が期待できるとともに、本考案を利用する客にとっては、キャンペーンに参加することで、特典を獲得することができるとともに、キャンペーンへの参加を楽しむことができ、さらに、本考案を利用する店にとっては、キャンペーンを実施することによって、顧客の維持や顧客の獲得につながるという効果が期待できる。
【００５８】
以上、本考案に係る好適な実施形態について説明したが、本考案の技術的範囲は上記実施形態の範囲には限定されない。本考案は、上記の実施形態及び実施例の全てを備えている必要はなく、また、上記の実施形態及び実施例に、多様な変更又は改良を加えることができる。
【００５９】
例えば、本考案に係るキャンペーン用台紙によって客が獲得できる特典については、客の興味や参加意欲を高めるための様々な仕掛けを用いることができる。すなわち、しるしの獲得数の増加に伴って特典価値が向上するように、キャンペーン用台紙に描かれる数字や絵柄を工夫すればよい。具体的には、
・５枚のシールであれば、現金７，０００円で商品交換
・１０枚のシールであれば、現金５，０００円で商品交換
・１５枚のシールであれば、現金３，０００円で商品交換
といったような工夫を凝らすことで、客のキャンペーンへの参加の意欲を喚起させ、購買行動の変化を促し、店などの売り上げの増大が期待できる。
【００６０】
また、上述した実施形態は、小売業の店舗で実施されるキャンペーンに用いられるキャンペーン用台紙を想定したものであったが、本考案に係るキャンペーン用台紙は、小売業の店舗のみならず、顧客へのサービスを行うことが想定されるあらゆる業種で用いることが可能である。
【符号の説明】
【００６１】
１０，２０，３０  キャンペーン用台紙、１１  位置ガイド部、１３  枠、１５  シール、２１  シールの見本。
【図１】
0003186311.tif 000003
【図２】
0003186311.tif 000004
【図３】
0003186311.tif 000005
【図４】
0003186311.tif 000006
【図５】
0003186311.tif 000007
【手続補正書】
【提出日】平成25年7月29日(2013.7.29)
【手続補正１】
【補正対象書類名】実用新案登録請求の範囲
【補正対象項目名】全文
【補正方法】変更
【補正の内容】
【実用新案登録請求の範囲】
【請求項１】
しるしを付するための位置ガイド部を表面に複数配置し、当該位置ガイド部を囲む枠が形成され、当該位置ガイド部にしるしが付されることを特徴とするキャンペーン用台紙。
【請求項２】
請求項１に記載のキャンペーン用台紙であって、
前記位置ガイド部に、数字が描かれていることを特徴とするキャンペーン用台紙。
【請求項３】
請求項１又は２に記載のキャンペーン用台紙であって、
前記位置ガイド部に、図柄が描かれていることを特徴とするキャンペーン用台紙。
【請求項４】
請求項１〜３のいずれか１項に記載のキャンペーン用台紙であって、
特典の内容を表した図柄を前記位置ガイド部に設け、店が定める特定のしるしを客が集め、所定数の前記しるしを前記位置ガイド部に付することによって、客が前記しるしの所定数に応じた前記特典を獲得することができるようにしたことを特徴とするキャンペーン用台紙。
【請求項５】
請求項１〜４のいずれか１項に記載のキャンペーン用台紙であって、
表面に図柄が印刷されるとともに裏面に剥離紙が貼り合わされたシールを、前記剥離紙から剥離して、前記しるしとして、前記位置ガイド部に貼付することを特徴とするキャンペーン用台紙。
【請求項６】
請求項４に記載のキャンペーン用台紙であって、
前記特典の内容を表した図柄は、前記位置ガイド部に付された前記しるしの所定数に応じた商品を特別価格で購入することができることを意味するものであることを特徴とするキャンペーン用台紙。
【請求項７】
請求項４に記載のキャンペーン用台紙であって、
前記特典の内容を表した図柄は、前記しるしの獲得数の増加に伴って特典価値が向上することを意味するものであることを特徴とするキャンペーン用台紙。